【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
カテーテル挿入装置であって、
ベースを有するハウジング、
前記ベースに対して第１の後退位置と第２の伸長位置との間で移動可能なカテーテル、
前記カテーテル内の導入ニードルであって、前記ベースと前記カテーテルとに対して第１の後退位置と第２の伸長位置との間で移動可能である導入ニードル、
前記ハウジング内に配置されたスプリング、
前記スプリングを圧縮された状態で保持するスプリングリテーナ、及び
前記装置を作動させるアクチュエータを備え、
前記カテーテル及びニードルは前記アクチュエータに結合されていて、前記カテーテル及びニードルが前記アクチュエータ内に引き込まれている第１の位置と、前記カテーテル及びニードルが前記ベースから伸長する第２の位置との間で移動可能であり、
前記アクチュエータが前記第２の位置に移動されたとき、前記ニードルを自動的に引き込むべく前記スプリングリテーナが前記スプリングを解放することを特徴とするカテーテル挿入装置。
【請求項２】
前記アクチュエータに結合され、前記アクチュエータに接触する第１の端部及び第２の末端部を有するカテーテルハブをさらに備え、前記カテーテルが前記カテーテルハブに結合されていることを特徴とする請求項１に記載の装置。
【請求項３】
前記アクチュエータに係合する第１の端部及び第２の端部を有するカテーテルハブをさらに備え、
前記カテーテルは前記第２の端部から伸長しており、ここで、前記カテーテルハブは前記アクチュエータが前記第２の位置にあるとき前記スプリングを解放するべく前記スプリングリテーナに接触していることを特徴とする請求項１に記載の装置。
【請求項４】
前記スプリングリテーナは変形可能であり、且つ、前記スプリングの端部に係合する外側に延在するタブを備える複数の脚部を含み、そして、
前記カテーテルハブは、前記タブを偏向させ且つ前記スプリングを解放するべく前記スプリングリテーナに係合していることを特徴とする請求項３に記載の装置。
【請求項５】
前記スプリングは、前記カテーテルに関して前記導入ニードルを後退させるために拡張可能であることを特徴とする請求項４に記載の装置。
【請求項６】
前記スプリングは、前記アクチュエータが第１の位置にあるとき、前記ベースと前記脚部の前記タブとの間で圧縮された状態で捕獲され、そして、
前記カテーテルハブは前記タブを内向きに偏向させ前記スプリングを解放するべく前記スプリングリテーナに接触し、それによって前記スプリングが前記ニードルを後退させるべく前記ニードルに係合することを特徴とする請求項５に記載の装置。
【請求項７】
前記カテーテルハブは、前記第１の端部に前記導入ニードルと摩擦係合する寸法のスロットを有し、それにより、前記ニードルは前記第２の位置に移動中に前記カテーテルハブによって運ばれ、そして、
前記スプリングは、前記ニードルを前記カテーテルハブから離して付勢するように前記ニードルに接触していることを特徴とする請求項６に記載の装置。
【請求項８】
カテーテル挿入装置であって、
ベースを有するハウジング、
前記ベースに対して第１の後退位置と第２の伸長位置との間で移動可能なカテーテル、
前記カテーテル内の導入ニードルであって、前記ベースと前記カテーテルとに対して第１の後退位置と第２の伸長位置との間で移動可能である導入ニードル、
前記ハウジング内に配置されたスプリング、
前記ハウジング内のスプリングリテーナであって、前記スプリングを圧縮された状態で保持するスプリングリテーナ、及び
前記ベースに対して移動可能なアクチュエータであって、前記カテーテルは前記アクチュエータに結合されていて前記アクチュエータと共に移動可能であり、且つ前記ニードルは前記アクチュエータ内に摺動可能に受入れられており、  前記アクチュエータは前記カテーテル及び前記ニードルが前記ベース内のそれぞれの第１の位置に存する第１の位置と、前記カテーテル及び前記ニードルが前記スプリングリテーナに係合し且つ前記スプリングを解放するそれぞれの第２の位置に存する第２の位置との間で移動可能であり、前記スプリングが前記ニードルを引き込むべく解放されたとき、前記ニードルは前記アクチュエータ内を摺動可能であるアクチュエータを備えることを特徴とするカテーテル挿入装置。
【請求項９】
前記アクチュエータに結合され、前記アクチュエータに接触する第１の端部及び第２の末端部を有するカテーテルハブをさらに備え、
前記カテーテルは前記カテーテルハブに結合されていることを特徴とする請求項８に記載の装置。
【請求項１０】
前記スプリングは、前記スプリングリテーナを囲むコイルスプリングであることを特徴とする請求項９に記載の装置。
【請求項１１】
前記アクチュエータは、前記ニードルを摺動可能に受入れる軸方向通路を備える内側スリーブを有し、
前記内側スリーブは前記アクチュエータ内に環状キャビティを画定していることを特徴とする請求項９に記載の装置。
【請求項１２】
前記スプリングリテーナは、前記カテーテル及び前記ニードルを受入れる開口を備える底壁、前記底壁から離れて延在する側壁、及び前記側壁の上縁部から外側に延在する複数のタブを備え、
前記タブは、前記スプリングを前記圧縮された状態に保持するべく前記スプリングの上端部に係合していることを特徴とする請求項９に記載の装置。
【請求項１３】
前記ハウジングは前記カテーテル及び前記ニードルを受入れる内側スリーブを有し、前記内側スリーブは前記スプリングリテーナの前記タブの末端部に接触しており、そして、
前記カテーテルハブは前記タブを前記スプリングから分離するために、前記スプリングリテーナの前記底壁に接触していることを特徴とする請求項１２に記載の装置。
【請求項１４】
前記内側スリーブは長手方向のスロットを有し、そして、前記ニードルは前記第１の位置と第２の位置との間での移動のために前記スロット内に摺動可能に収容されており、
前記スプリングは前記スプリングリテーナから分離されたとき、前記ニードルを後退させるべく前記内側スリーブの周りを摺動することを特徴とする請求項１３に記載の装置。
【請求項１５】
カテーテル挿入装置であって、
ベースを有するハウジング、
前記ベースに結合されたアクチュエータ、
前記アクチュエータに結合されたカテーテルハブ及び前記カテーテルハブに接続されたカテーテルであって、前記アクチュエータ及び前記カテーテルハブは、前記ハウジング内に配置された第１の位置と、第２の位置との間で移動可能であり、前記アクチュエータが前記第２の位置にあるとき、前記カテーテルは、前記ハウジングから伸長している、カテーテルハブ及びカテーテル、
前記アクチュエータに摺動可能に収容される導入ニードルであって、前記アクチュエータ及び前記カテーテルハブに対しての第１の伸長位置と、前記導入ニードルが前記カテーテルハブに解放可能に結合される第２の後退位置との間で摺動可能である導入ニードル、及び
スプリングと前記スプリングに接触するスプリングリテーナであって、前記カテーテルハブは、前記カテーテルハブが前記第２の位置に移動されたとき前記ニードルを自動的に後退させるべく前記スプリングリテーナを解放するように構成されているスプリング及びスプリングリテーナ、
を備えることを特徴とするカテーテル挿入装置。
【請求項１６】
前記スプリングリテーナは、前記カテーテルハブに結合されており、そして、前記カテーテルハブが前記第２の位置に移動されたとき、前記カテーテルハブから分離可能であることを特徴とする請求項１５に記載の装置。
【請求項１７】
前記スプリングリテーナは前記アクチュエータに対して摺動可能であり、
前記第１の位置と前記第２の位置との間で移動可能であることを特徴とする請求項１５に記載の装置。
【請求項１８】
前記カテーテルハブは、外向きに延在するフランジを備える底端部、及び前記スプリングリテーナに係合する内向きに延在するタブを備える前記カテーテルハブに結合された移動可能なラッチを有し、
前記スプリングは、前記フランジ及び前記タブの間に圧縮された状態で保持されていることを特徴とする請求項１５に記載の装置。
【請求項１９】
前記移動可能なラッチは、前記ニードルを後退させるべく前記スプリングリテーナ及び前記スプリングを解放するために、前記カテーテルハブが前記ハウジングの前記ベースに接触したとき、前記スプリングリテーナから分離することを特徴とする請求項１８に記載の装置。